(57)【特許請求の範囲】
【請求項１】
ヘルメット本体（２１）と、着用者（Ｊ）の顎部に引っ掛かる顎紐部（３０，２３０，３３０）と、前記着用者（Ｊ）の脈拍及び血流を含む生体情報を検出する生体情報検出装置（４０，２４０）と、を備えたヘルメット（２０，２２０，３２０）において、
前記生体情報検出装置（４０，２４０）は、前記顎紐部（３０，２３０，３３０）に設けられ、
前記顎紐部（３０，２３０，３３０）は、左右一対の左顎紐部材（３１，３３１）及び右顎紐部材（３２，３３２）と、前記左顎紐部材（３１，３３１）及び前記右顎紐部材（３２，３３２）を着脱可能に固定する固定部材（３３，３３３）と、を備え、
前記生体情報検出装置（４０，２４０）は、前記固定部材（３３，３３３）に設けられ、
前記生体情報検出装置（４０，２４０）は、前記左顎紐部材（３１）及び前記右顎紐部材（３２）が固定されており、かつ前記生体情報を検出しない時間が所定時間経過したときに、前記生体情報の検出を停止することを特徴とするヘルメット。
【請求項２】
前記生体情報検出装置（４０，２４０）は、前記左顎紐部材（３１）及び前記右顎紐部材（３２）が固定されたときに、前記生体情報の検出を開始することを特徴とする請求項１に記載のヘルメット。
【請求項３】
前記生体情報検出装置（４０，２４０）は、前記左顎紐部材（３１）及び前記右顎紐部材（３２）が脱離されたときに、前記生体情報の検出を停止することを特徴とする請求項１又は２に記載のヘルメット。
【請求項４】
前記生体情報検出装置（４０，２４０）は、外部の情報通信機器（Ｋ）との通信を行う通信部（４１，２４１）を備えていることを特徴とする請求項１から３の何れか一項に記載のヘルメット。
【請求項５】
前記生体情報検出装置（４０）は、前記生体情報を検出するセンサ（４２）と、電源（４３）と、を更に備え、
前記通信部（４１）、前記センサ（４２）及び前記電源（４３）は、同一の部材に一体に設けられていることを特徴とする請求項４に記載のヘルメット。
【請求項６】
前記生体情報検出装置（２４０）は、前記生体情報を検出するセンサ（４２）と、電源（２４３）と、を更に備え、
前記通信部（４１）及び前記センサ（４２）は、同一の部材に一体に設けられ、
前記電源（２４３）は、前記ヘルメット本体（２１）に設けられていることを特徴とする請求項４に記載のヘルメット。
【請求項７】
前記生体情報検出装置（２４０）は、前記電源（２４３）からの電力を前記センサ（４２）に導く配線（２４４）を更に備え、
前記顎紐部（２３０）は、顎紐本体（２３６）と、前記顎紐本体（２３６）を覆うカバー部材（２３７）と、を備え、
前記配線（２４４）は、前記顎紐本体（２３６）と前記カバー部材（２３７）との間に配置されていることを特徴とする請求項６に記載のヘルメット。
【請求項８】
前記通信部（２４１）は、前記情報通信機器（Ｋ）との通信を行う線状のアンテナ（２４１ａ）を備え、
前記顎紐部（２３０）は、顎紐本体（２３６）と、前記顎紐本体（２３６）を覆うカバー部材（２３７）と、を備え、
前記アンテナ（２４１ａ）は、前記顎紐本体（２３６）と前記カバー部材（２３７）との間に配置されていることを特徴とする請求項６又は７に記載のヘルメット。
【請求項９】
前記ヘルメット本体（２１）の前下部に配置された呼気センサ（４８０）と、
前記ヘルメット本体（２１）の左右側部に配置されたアルコール濃度検出装置（４８１）と、
前記ヘルメット本体（２１）の前上部に配置された警告ランプ（４８２）と、を更に備えることを特徴とする請求項１から８の何れか一項に記載のヘルメット。
【発明の詳細な説明】
【技術分野】
【０００１】
本発明は、ヘルメットに関する。
【背景技術】
【０００２】
従来、ヘルメットにおいて、例えば特許文献１及び２に開示されたものがある。
特許文献１は、ヘルメットの左側部から下方に延出した延出部に血流センサを配置したものである。血流センサは、運転者の首部付近に対応する位置に配置されている。
特許文献２は、ヘルメットの左側部（シールドの固定部付近）に心拍センサを配置したものである。心拍センサは、運転者の耳またはこめかみ部に対応する位置に配置されている。
【先行技術文献】
【特許文献】
【０００３】
【特許文献１】特開平８−２３４８０５号公報
【特許文献２】特開２０１０−１４８７１８号公報
【発明の概要】
【発明が解決しようとする課題】
【０００４】
しかしながら、特許文献１では、延出部が運転者の首部付近に配置されているため、運転者の首の動きにより、運転者に違和感等を生じさせる可能性があった。
一方、特許文献２では、心拍センサがヘルメット本体に固定されているため、心拍センサと運転者との接触状態に個人差を生じさせ、心拍数を精度よく検出することができない可能性があった。
【０００５】
そこで本発明は、着用者の生体情報を検出する生体情報検出装置を備えたヘルメットにおいて、着用者の首の動きによって着用者に違和感等を生じさせることなく、また、個人差による接触状態の差を少なくして、着用者の生体情報を精度よく検出することを目的とする。
【課題を解決するための手段】
【０００６】
上記課題の解決手段として、請求項１に記載した発明は、ヘルメット本体（２１）と、着用者（Ｊ）の顎部に引っ掛かる顎紐部（３０，２３０，３３０）と、前記着用者（Ｊ）の脈拍及び血流を含む生体情報を検出する生体情報検出装置（４０，２４０）と、を備えたヘルメット（２０，２２０，３２０）において、前記生体情報検出装置（４０，２４０）は、前記顎紐部（３０，２３０，３３０）に設けられ、前記顎紐部（３０，２３０，３３０）は、左右一対の左顎紐部材（３１，３３１）及び右顎紐部材（３２，３３２）と、前記左顎紐部材（３１，３３１）及び前記右顎紐部材（３２，３３２）を着脱可能に固定する固定部材（３３，３３３）と、を備え、前記生体情報検出装置（４０，２４０）は、前記固定部材（３３，３３３）に設けられ、前記生体情報検出装置（４０，２４０）は、前記左顎紐部材（３１）及び前記右顎紐部材（３２）が固定されており、かつ前記生体情報を検出しない時間が所定時間経過したときに、前記生体情報の検出を停止することを特徴とする。
請求項２に記載した発明は、前記生体情報検出装置（４０，２４０）は、前記左顎紐部材（３１）及び前記右顎紐部材（３２）が固定されたときに、前記生体情報の検出を開始することを特徴とする。
請求項３に記載した発明は、前記生体情報検出装置（４０，２４０）は、前記左顎紐部材（３１）及び前記右顎紐部材（３２）が脱離されたときに、前記生体情報の検出を停止することを特徴とする。
請求項４に記載した発明は、前記生体情報検出装置（４０，２４０）は、外部の情報通信機器（Ｋ）との通信を行う通信部（４１，２４１）を備えていることを特徴とする。
請求項５に記載した発明は、前記生体情報検出装置（４０）は、前記生体情報を検出するセンサ（４２）と、電源（４３）と、を更に備え、前記通信部（４１）、前記センサ（４２）及び前記電源（４３）は、同一の部材に一体に設けられていることを特徴とする。
請求項６に記載した発明は、前記生体情報検出装置（２４０）は、前記生体情報を検出するセンサ（４２）と、電源（２４３）と、を更に備え、前記通信部（４１）及び前記センサ（４２）は、同一の部材に一体に設けられ、前記電源（２４３）は、前記ヘルメット本体（２１）に設けられていることを特徴とする。
請求項７に記載した発明は、前記生体情報検出装置（２４０）は、前記電源（２４３）からの電力を前記センサ（４２）に導く配線（２４４）を更に備え、前記顎紐部（２３０）は、顎紐本体（２３６）と、前記顎紐本体（２３６）を覆うカバー部材（２３７）と、を備え、前記配線（２４４）は、前記顎紐本体（２３６）と前記カバー部材（２３７）との間に配置されていることを特徴とする。
請求項８に記載した発明は、前記通信部（２４１）は、前記情報通信機器（Ｋ）との通信を行う線状のアンテナ（２４１ａ）を備え、前記顎紐部（２３０）は、顎紐本体（２３６）と、前記顎紐本体（２３６）を覆うカバー部材（２３７）と、を備え、前記アンテナ（２４１ａ）は、前記顎紐本体（２３６）と前記カバー部材（２３７）との間に配置されていることを特徴とする。
請求項９に記載した発明は、前記ヘルメット本体（２１）の前下部に配置された呼気センサ（４８０）と、前記ヘルメット本体（２１）の左右側部に配置されたアルコール濃度検出装置（４８１）と、前記ヘルメット本体（２１）の前上部に配置された警告ランプ（４８２）と、を更に備えることを特徴とする。
【発明の効果】
【０００７】
請求項１に記載した発明によれば、生体情報検出装置が顎紐部に設けられていることで、顎紐部を適切な状態で締めることにより、着用者によらず、生体情報検出装置と着用者との接触状態を適切な状態に維持することができる。加えて、既存のヘルメットの形状を大きく変更することがないため、着用者の首の動きが妨げられることもない。したがって、着用者の首の動きによって着用者に違和感等を生じさせることなく、また、個人差による接触状態の差を少なくして、着用者の生体情報を精度よく検出することができる。加えて、顎紐部が左右一対の左顎紐部材及び右顎紐部材と、左顎紐部材及び右顎紐部材を着脱可能に固定する固定部材とを備え、生体情報検出装置が固定部材に設けられていることで、生体情報検出装置と固定部材との一体感を創出することができるため、ヘルメット全体としてコンパクトなものとすることができる。加えて、顎紐部周辺の構成部品が従来のヘルメットと同様となるため、外観を良好に維持することができる。加えて、生体情報検出装置が、左顎紐部材及び右顎紐部材が固定されており、かつ着用者の生体情報を検出しない時間が所定時間経過したときに着用者の生体情報の検出を停止することで、顎紐部をロックした状態でヘルメットを持ち歩いているとき等、着用者の生体情報の検出を行う必要がない場合であっても、所定時間経過後には着用者の生体情報の検出が自動的に停止されるため、煩わしい手動操作が不要となり、利便性を向上することができる。加えて、着用者の生体情報の検出を行う必要がない場合には、生体情報検出装置が停止するため、消費電力を削減することができる。
請求項２に記載した発明によれば、生体情報検出装置が、左顎紐部材及び右顎紐部材が固定されたときに着用者の生体情報の検出を開始することで、顎紐部をロックするだけで着用者の生体情報の検出が自動的に開始されるため、煩わしい手動操作が不要となり、利便性を向上することができる。
請求項３に記載した発明によれば、生体情報検出装置が、左顎紐部材及び右顎紐部材が脱離されたときに着用者の生体情報の検出を停止することで、顎紐部のロックが解除されたときに着用者の生体情報の検出が自動的に停止されるため、煩わしい手動操作が不要となり、利便性を向上することができる。加えて、ヘルメットの未使用時には、生体情報検出装置が停止するため、消費電力を削減することができる。
請求項４に記載した発明によれば、生体情報検出装置が外部の情報通信機器との通信を行う通信部を備えていることで、データ処理を外部の情報通信機器で行うことができるため、生体情報検出装置を小型化することができる。
請求項５に記載した発明によれば、生体情報検出装置が生体情報を検出するセンサと電源とを更に備え、通信部、センサ及び電源が同一の部材に一体に設けられていることで、通信部、センサ及び電源が別個独立に設けられた場合と比較して、生体情報検出装置を小型化することができる。
請求項６に記載した発明によれば、生体情報検出装置が生体情報を検出するセンサと電源とを更に備え、通信部及びセンサが同一の部材に一体に設けられ、電源がヘルメット本体に設けられていることで、通信部、センサ及び電源が別個独立に設けられた場合と比較して、生体情報検出装置を小型化することができる。加えて、通信部、センサ及び電源が同一の部材に一体に設けられた場合と比較して、電源の容量を大きくすることができるため、生体情報検出装置の作動時間を長くすることができる。
請求項７に記載した発明によれば、生体情報検出装置が電源からの電力をセンサに導く配線を更に備え、顎紐部が顎紐本体と顎紐本体を覆うカバー部材とを備え、配線が顎紐本体とカバー部材との間に配置されていることで、配線が外部に露出しないため、配線を保護することができるとともに、外観を良好に維持することができる。
請求項８に記載した発明によれば、通信部が情報通信機器との通信を行う線状のアンテナを備え、顎紐部が顎紐本体と顎紐本体を覆うカバー部材とを備え、アンテナが顎紐本体と前記カバー部材との間に配置されていることで、アンテナが生体情報検出装置の内部に配置された場合と比較して、アンテナを大きくすることができ、かつアンテナをヘルメット本体の外部に露出させることができるため、アンテナと外部の情報通信機器との通信状況を良好にすることができる。
【図面の簡単な説明】
【０００８】
【図１】第一実施形態に係る自動二輪車の左側面図である。
【図２】第一実施形態に係るヘルメットの斜視図である。
【図３】第一実施形態に係るヘルメットの縦断面図である。
【図４】第一実施形態に係る生体情報検出装置を含む概念図である。
【図５】第一実施形態に係る生体情報検出装置の構成図を含む図である。
【図６】第一実施形態に係る生体情報検出装置の構成図を含む図である。
【図７】第一実施形態に係る生体情報検出装置の処理を示すフローチャートである。
【図８】第一実施形態に係るメータ装置の表示部の正面図である。
【図９】第二実施形態に係るヘルメットの上面図である。
【図１０】図９のＸ−Ｘ断面図である。
【図１１】図１０のＸＩ−ＸＩ断面図である。
【図１２】第二実施形態に係る生体情報検出装置の構成図を含む図である。
【図１３】第二実施形態に係るヘルメットの変形例を示す要部拡大図である。
【図１４】上記変形例に係る顎紐部の内部構造を示す斜視図である。
【図１５】第三実施形態に係るヘルメットの斜視図である。
【図１６】第三実施形態に係る係止部材の斜視図である。
【図１７】第三実施形態に係る係止部材の係止状態を示す要部断面図である。
【図１８】第三実施形態に係る生体情報検出装置の構成図である。
【図１９】第三実施形態に係る係止部材の変形例を示す斜視図である。
【図２０】上記変形例に係る係止部材の係止状態を示す要部断面図である。
【図２１】呼気センサ等を更に備えた変形例を説明するための図である。
【発明を実施するための形態】
【０００９】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、及び車両上方を示す矢印ＵＰが示されている。
【００１０】
（第一実施形態）
図１は、鞍乗り型車両の一例として、ヘルメット２０を着用した運転者Ｊ（着用者）が運転している自動二輪車１を示す。以下、自動二輪車を単に「車両」ということがある。
【００１１】
＜車両全体＞
図１に示す自動二輪車１において、その前輪２は左右一対のフロントフォーク３の下端部に軸支される。左右フロントフォーク３の上部は、ステアリングステム４を介して車体フレーム５の前端部のヘッドパイプ６に操向可能に枢支される。自動二輪車１の後輪７は、車体後部下側で前後に延びるスイングアーム８の後端部に軸支される。スイングアーム８の前端部は、車体フレーム５の前後中間部のピボット部９に上下揺動可能に枢支される。
【００１２】
車体フレーム５には、自動二輪車１の原動機であるエンジン１０が搭載される。エンジン１０は、その下部を形成するクランクケース１１の前部上方にシリンダ１２を起立させる。
【００１３】
エンジン１０の上方には燃料タンク１３が配置され、燃料タンク１３の後方にはシート１４が配置される。車体前部には車体フレーム５に支持されたフロントカウル１５が装着される。フロントカウル１５の前部上側にはスクリーン１６が設けられる。フロントカウル１５の内側にはメータ装置１７が配置される。
【００１４】
なお、図中符号１８は車体中央側部を覆うサイドカバー、図中符号１９は自動二輪車１のアンチロック・ブレーキ・システム（Ａｎｔｉｌｏｃｋ  Ｂｒａｋｅ  Ｓｙｓｔｅｍ：ＡＢＳ）のＡＢＳモジュレータ、図中符号４５はアンテナを備えた制御部（Ｅｌｅｃｔｒｏｎｉｃ  Ｃｏｎｔｒｏｌ  Ｕｎｉｔ：ＥＣＵ）をそれぞれ示す。
【００１５】
＜ヘルメット＞
運転者Ｊは、フルフェイスタイプのヘルメット２０を着用している。図２及び図３を併せて参照し、ヘルメット２０は、運転者Ｊ（図１参照）の頭部等を覆うヘルメット本体２１と、運転者Ｊの顎部に引っ掛かる顎紐部３０と、運転者Ｊの生体情報を検出する生体情報検出装置４０と、を備えている。
【００１６】
ヘルメット本体２１は、視野部分を除いた頭部並びに顎部及び頸部を覆う外殻部材としての帽体２２と、帽体２２の内側に配置された内装材２３と、視野部分に開閉自在に設けられたシールド２４と、を備えている。
【００１７】
＜顎紐部＞
顎紐部３０は、左右一対の左顎紐部材３１及び右顎紐部材３２と、左顎紐部材３１及び右顎紐部材３２を着脱可能に固定する固定部材３３と、顎紐部３０の長さを調節可能な紐長調整部３８と、を備えている。
【００１８】
本実施形態において、固定部材３３は、ワンタッチ式のバックルである。固定部材３３は、左顎紐部材３１の下端に取り付けられたソケット３４と、右顎紐部材３２の下端に取り付けられたプラグ３５と、を備えている。
【００１９】
例えば、プラグ３５をソケット３４に「カチッ」と音がするまで差し込むことで、左顎紐部材３１及び右顎紐部材３２を固定する（すなわち、ロック状態とする）ことができる。一方、ソケット３４のレバー３４ａを矢印の方向に押すとともに、プラグ３５をソケット３４から引き抜くことで、左顎紐部材３１及び右顎紐部材３２を脱離する（すなわち、ロック解除状態とする）ことができる。
【００２０】
紐長調整部３８は、プラグ３５に固定された第一アジャスタ３８ａと、右顎紐部材３２に移動可能に取り付けられた第二アジャスタ３８ｂと、を備えている。
例えば、顎紐部３０がロック状態のときに、右顎紐部材３１を第一アジャスタ３８ａから所定長さだけ引っ張ることで、顎紐部３０の長さを適切に調整することができるため、運転者Ｊの顎部に生体情報検出装置４０のセンサ４２を適切に触れさせることができる。そして、第二アジャスタ３８ｂを右顎紐部材３２の適切な位置に移動させることで、右顎紐部材３１の余剰部分を押さえることができるため、前記余剰部分が風などでばたつくことを回避することができる。
【００２１】
＜生体情報検出装置＞
図４に示すように、生体情報検出装置４０は、外部のスマートフォンＫ（情報通信機器）との通信を行う通信部４１と、脈拍及び血流等の生体情報を検出するセンサ４２と、センサ４２への電力供給を切替可能なスイッチを介して接続されたバッテリ４３（電源）と、を備えている。例えば、スマートフォンＫは、運転者Ｊ（図１参照）の衣服内に収容されている。センサ４２からの検出情報は、制御部４５（図１参照）に入力される。通信部４１、センサ４２及びバッテリ４３は、同一の部材（例えば、基板等）に一体に設けられている。なお、センサ４２は、固定部材３３のプラグ３５側に設けられていてもよい。
【００２２】
なお、センサ４２は、接触式又は非接触式のいずれの方式であってもよい。また、センサ４２は、脈拍及び血流等の生体情報に加え、血中や汗、呼気に含まれるアルコール等を検出してもよい。
【００２３】
例えば、制御部４５は、車両側に搭載されていてもよいし、スマートフォンＫに搭載されていてもよい。また、制御部４５は、スマートフォンＫにのみ搭載されていてもよい。例えば、制御部４５のアプリをスマートフォンＫにインストールすることによって、制御部４５をスマートフォンＫに搭載してもよい。また、スマートフォンＫの通信機能（例えば、Ｂｌｕｅｔｏｏｔｈ（登録商標）等）を利用して、生体情報検出装置４０から送られるデータをスマートフォンＫで解析し、画面に表示するとともに、車両側との通信手段によって車両側の表示部５０のインジケータ等を表示又は点灯（点滅）させることで、より確実に運転者Ｊに情報を伝達してもよい。
【００２４】
なお、制御部４５がスマートフォンＫに搭載されることに代えて、制御部４５が車両側にのみ搭載されていてもよい。また、スマートフォンＫの有無によって、制御部４５の機能をスマートフォンＫ側又は車両側の何れかに選択的に持たせてもよい。
【００２５】
図２に示すように、生体情報検出装置４０は、顎紐部３０の固定部材３３に設けられている。例えば、生体情報検出装置４０は、ソケット３４に内蔵されている。
【００２６】
なお、生体情報検出装置４０は、ソケット３４のうち運転者Ｊの顎部側の部分と一体化されていてもよい。これにより、顎紐部３０の長さを適切に調節することで、生体情報検出装置４０と運転者Ｊの顎部との接触状態を適切な状態とすることができる。
【００２７】
図５及び図６に示すように、生体情報検出装置４０は、左顎紐部材３１及び右顎紐部材３２が固定されたとき（すなわち、ロック状態となったとき）、運転者Ｊの生体情報の検出を開始する。このとき、生体情報検出装置４０は、スマートフォンＫ（図１参照）との通信を開始する。すなわち、生体情報検出装置４０は、顎紐部３０がロック状態となったときに、ヘルメット２０の使用状態を認知するようになっている。
【００２８】
具体的に、顎紐部３０がロック状態となったとき、バッテリ４３とセンサ４２との接続がオンとなり、バッテリ４３からセンサ４２へ電力が供給される。このとき、センサ４２は、運転者Ｊの生体情報の検出を開始する。そして、通信部４１は、スマートフォンＫとの通信を開始する。
【００２９】
一方、生体情報検出装置４０は、左顎紐部材３１及び右顎紐部材３２が脱離されたとき（すなわち、ロック解除状態となったとき）、運転者Ｊの生体情報の検出を停止する。このとき、生体情報検出装置４０は、スマートフォンＫとの通信を停止する。すなわち、生体情報検出装置４０は、顎紐部３０がロック解除状態となったときに、ヘルメット２０の不使用状態を認知するようになっている。
【００３０】
具体的に、顎紐部３０がロック解除状態となったとき、バッテリ４３とセンサ４２との接続がオフとなり、バッテリ４３からセンサ４２へ電力が供給されなくなる。そのため、センサ４２は、運転者Ｊの生体情報の検出を停止する。このとき、通信部４１は、スマートフォンＫとの通信を停止する。
【００３１】
さらに、生体情報検出装置４０は、左顎紐部材３１及び右顎紐部材３２が固定されており、かつ運転者Ｊの生体情報を検出しない時間が所定時間経過したとき（すなわち、ロック状態になっているもかかわらず運転者Ｊの生体情報が所定時間検出されないとき）、運転者Ｊの生体情報の検出を停止する。このとき、生体情報検出装置４０は、スマートフォンＫとの通信を停止する。すなわち、生体情報検出装置４０は、顎紐部３０がロック状態となっていても、運転者Ｊの生体情報が所定時間検出されないときは、ヘルメット２０の不使用状態を認知するようになっている。
【００３２】
具体的に、図７のフローチャートを参照して説明する。
まず、プラグ３５をソケット３４に差し込む（ステップＳ１）。
ステップＳ２では、顎紐部３０がロック状態か否かの判定を行う。ステップＳ２において「ＹＥＳ」となると、バッテリ４３とセンサ４２との接続がオンとなり、バッテリ４３からセンサ４２へ電力が供給される。すなわち、電源オンとなり、ステップＳ３に移行する。一方、ステップＳ２において「ＮＯ」となると、電源オフのままとなる。
【００３３】
電源オンとなると、センサ４２は、運転者Ｊの生体情報の検出を開始する（ステップＳ３）。このとき、不図示のタイマによる計時もスタートする。
【００３４】
ステップＳ４では、タイマによる計時をスタートしてから所定時間経過したか否かの判定を行う。例えば、ステップＳ４では、タイマの計時が５分、１０分等の予め設定した時間となったか否かの判定を行う。ステップＳ４において「ＹＥＳ」となると、ステップＳ５に移行する。
【００３５】
ステップＳ５では、運転者Ｊの生体情報が検出されたか否かの判定を行う。ステップＳ４において「ＹＥＳ」となると、通信部４１は、スマートフォンＫとの通信を開始する。
【００３６】
一方、ステップＳ５において「ＮＯ」となると、電源オフとなる。すなわち、運転者Ｊの生体情報が所定時間検出されないときは、制御部４５により、センサ４２の電源がオフとされる。そのため、センサ４２は、運転者Ｊの生体情報の検出を停止する。このとき、通信部４１は、スマートフォンＫとの通信を停止する。
【００３７】
これは、顎紐部３０をロック状態としたまま、ヘルメット２０を手持ちで運搬しているとき等を想定したものである。また、次の使用の際には、一旦顎紐部３０をロック解除状態とすることを考慮したものである。
【００３８】
なお、顎紐部３０がロック状態となっているにもかかわらずスマートフォンＫとの通信が所定時間行われないときは、所定回数スマートフォンＫとの通信の接続をリトライし、その後も通信の接続が行われなかったときは、運転者ＪがスマートフォンＫを携帯していないものと推定し、運転者Ｊの生体情報の検出及びスマートフォンＫとの通信を停止してもよい。
【００３９】
＜警告手段＞
図８は、メータ装置１７における車速メータ５１及びタコメータ５２等を配置する表示部５０に、警告手段としての第一インジケータランプ５７、第二インジケータランプ５８及び第三インジケータランプ５９を配置した一例を示す。表示部５０には、車速メータ５１及びタコメータ５２が左右に並び、その左右外側に燃料計５３及び水温計５４が配置される。これらは指針を回動させて目盛を指し示すアナログ式とされる。車速メータ５１及びタコメータ５２の間にはインジケータランプ群５５が配置され、インジケータランプ群５５の上方には情報表示部５６が配置される。
【００４０】
なお、メータ装置１７は、上記アナログ式の車速メータ５１及びタコメータ５２等を備えるものに限らず、数値を文字表示したり複数のセグメントを配列したバー表示の長さを増減させたりするデジタル式の車速メータ及びタコメータ等を備えるものであってもよい。
【００４１】
警告手段としての第一インジケータランプ５７は、インジケータランプ群５５の下方に配置される。第二インジケータランプ５８及び第三インジケータランプ５９は、情報表示部５６の左右外側に配置される。
【００４２】
例えば、車両側には不図示の通信手段が設けられ、表示部５０は、スマートフォンＫ（図１参照）からの信号を受けて、警告手段としての各インジケータランプ５７〜５８を点灯又は点滅させる。
【００４３】
例えば、第一インジケータランプ５７は、運転者Ｊの生体情報の検出結果により、運転者Ｊが疲労していると認められた場合に点灯又は点滅し、運転者Ｊの視覚に対する警告を与え、適切な休憩を促す。
例えば、第二インジケータランプ５８は、運転者Ｊに加え同乗者がいる場合、同乗者の生体情報の検出結果により、同乗者が疲労していると認められた場合に点灯又は点滅し、運転者Ｊの視覚に対する警告を与え、注意を喚起する。
例えば、第三インジケータランプ５９は、運転者Ｊの生体情報の検出結果により、運転者Ｊの身体的異常が認められた場合に点灯又は点滅し、運転者Ｊの視覚に対する警告を与え、応急救護処置を促す。
【００４４】
なお、運転者Ｊの触覚に対する警告を与えてもよい。図１に示すように、ＡＢＳモジュレータ１９は、シート１４の運転者Ｊ用座面の真下に配置されるとともに、車体フレーム５等に取り付けられている。例えば、ＡＢＳモジュレータ１９は、液圧制御用のモータを一体に有し、このモータをブレーキ系統とは分離した状態で空駆動させて振動を発生させることで、運転者Ｊの触覚に対する警告を与える。ＡＢＳモジュレータ１９は、車輪のスリップを検知した際はＡＢＳ作動を優先する。なお、運転者Ｊに振動による警告を与える手段は、ＡＢＳモジュレータ１９の他、種々の発振器を用いてもよい。さらに、発音による警告や視覚表示との組み合わせを行ってもよく、インジケータランプの点滅間隔を短くするなど、警告の間隔を変化させることでより認知度を高めてもよい。
【００４５】
以上説明したように、上記実施形態は、ヘルメット本体２１と、運転者Ｊの顎部に引っ掛かる顎紐部３０と、運転者Ｊの生体情報を検出する生体情報検出装置４０と、を備えたヘルメット２０において、生体情報検出装置４０が顎紐部３０に設けられているものである。
この構成によれば、生体情報検出装置４０が顎紐部３０に設けられていることで、顎紐部３０を適切な状態で締めることにより、運転者Ｊによらず、生体情報検出装置４０と運転者Ｊとの接触状態を適切な状態に維持することができる。加えて、既存のヘルメットの形状を大きく変更することがないため、運転者Ｊの首の動きが妨げられることもない。したがって、運転者Ｊの首の動きによって運転者Ｊに違和感等を生じさせることなく、また、個人差による接触状態の差を少なくして、運転者Ｊの生体情報を精度よく検出することができる。
【００４６】
また、上記実施形態では、顎紐部３０が左右一対の左顎紐部材３１及び右顎紐部材３２と、左顎紐部材３１及び右顎紐部材３２を着脱可能に固定する固定部材３３とを備え、生体情報検出装置４０が固定部材３３に設けられていることで、生体情報検出装置４０と固定部材３３との一体感を創出することができるため、ヘルメット２０全体としてコンパクトなものとすることができる。加えて、顎紐部３０周辺の構成部品が従来のヘルメットと同様となるため、外観を良好に維持することができる。
【００４７】
また、上記実施形態では、生体情報検出装置４０が、左顎紐部材３１及び右顎紐部材３２が固定されたときに運転者Ｊの生体情報の検出を開始することで、顎紐部３０をロックするだけで運転者Ｊの生体情報の検出が自動的に開始されるため、煩わしい手動操作が不要となり、利便性を向上することができる。
【００４８】
また、上記実施形態では、生体情報検出装置４０が、左顎紐部材３１及び右顎紐部材３２が脱離されたときに運転者Ｊの生体情報の検出を停止することで、顎紐部３０のロックが解除されたときに運転者Ｊの生体情報の検出が自動的に停止されるため、煩わしい手動操作が不要となり、利便性を向上することができる。加えて、ヘルメット２０の未使用時には、生体情報検出装置４０が停止するため、消費電力を削減することができる。
【００４９】
また、上記実施形態では、生体情報検出装置４０が、左顎紐部材３１及び右顎紐部材３２が固定されており、かつ運転者Ｊの生体情報を検出しない時間が所定時間経過したときに運転者Ｊの生体情報の検出を停止することで、顎紐部３０をロックした状態でヘルメット２０を持ち歩いているとき等、運転者Ｊの生体情報の検出を行う必要がない場合であっても、所定時間経過後には運転者Ｊの生体情報の検出が自動的に停止されるため、煩わしい手動操作が不要となり、利便性を向上することができる。加えて、運転者Ｊの生体情報の検出を行う必要がない場合には、生体情報検出装置４０が停止するため、消費電力を削減することができる。
【００５０】
また、上記実施形態では、生体情報検出装置４０が外部の情報通信機器との通信を行う通信部４１を備えていることで、データ処理を外部のスマートフォンＫで行うことができるため、生体情報検出装置４０を小型化することができる。
【００５１】
また、上記実施形態では、生体情報検出装置４０が生体情報を検出するセンサ４２とバッテリ４３とを更に備え、通信部４１、センサ４２及びバッテリ４３が同一の部材に一体に設けられていることで、通信部４１、センサ４２及びバッテリ４３が別個独立に設けられた場合と比較して、生体情報検出装置４０を小型化することができる。
【００５２】
（第二実施形態）
図９〜図１２に示すように、第二実施形態は、通信部４１及びセンサ４２が同一の部材に一体に設けられ、かつバッテリ２４３がヘルメット本体２１に設けられているものである。なお、以下の説明においては、上述した第一実施形態と同様の構成については同一の符号を付して説明を省略する。
【００５３】
具体的に、バッテリ２４３は、ヘルメット本体２１後部の左右中央かつ下端部に設けられている。これにより、バッテリ２４３をヘルメット本体２１上部に設けた場合と比較して、ヘルメット２２０の重心位置を低くすることができる。加えて、バッテリ２４３をヘルメット本体２１の左右一方のみに設けた場合と比較して、ヘルメット２２０の重心位置が左右一方に偏ることを抑制することができる。加えて、バッテリ２４３をヘルメット本体２１前部に設けた場合と比較して、バッテリ２４３を頸部で保持しやすくなる。したがって、走行中の運転者Ｊの疲労を低減することができる。
【００５４】
図１０及び図１１に示すように、顎紐部２３０は、帯状の顎紐本体２３６と、帯状のパッド２３７（カバー部材）と、を備えている。顎紐本体２３６及びパッド２３７は、帽体２２の右側部に、締結具２６０で共締め固定されている。生体情報検出装置２４０のうち通信部４１（図１２参照）及びセンサ４２は、顎紐本体２３６とパッド２３７との間に配置されている。なお、センサ４２の一部は、運転者Ｊの身体に触れるものとしてもよい。
【００５５】
生体情報検出装置２４０は、バッテリ２４３からの電力をセンサ４２に導く配線２４４を更に備えている。配線２４４は、顎紐本体２３６とパッド２３７との間に配置されている。すなわち、配線２４４は、顎紐本体２３６及びパットに挟まれている。具体的に、配線２４４は、バッテリ２４３からヘルメット本体２１の右側部内を経由して、顎紐本体２３６とパッド２３７との間を通った後にセンサ４２に接続されている。
【００５６】
本実施形態によれば、生体情報検出装置２４０が生体情報を検出するセンサ４２とバッテリ２４３とを更に備え、通信部４１及びセンサ４２が同一の部材に一体に設けられ、バッテリ２４３がヘルメット本体２１に設けられていることで、通信部４１、センサ４２及びバッテリ２４３が別個独立に設けられた場合と比較して、生体情報検出装置２４０を小型化することができる。加えて、通信部４１、センサ４２及びバッテリ２４３が同一の部材に一体に設けられた場合と比較して、バッテリ２４３の容量を大きくすることができるため、生体情報検出装置２４０の作動時間を長くすることができる。
【００５７】
また、本実施形態では、生体情報検出装置２４０がバッテリ２４３からの電力をセンサ４２に導く配線２４４を更に備え、顎紐部２３０が顎紐本体２３６と顎紐本体２３６を覆うパッド２３７とを備え、配線２４４が顎紐本体２３６とパッド２３７との間に配置されていることで、配線２４４が外部に露出しないため、配線２４４を保護することができるとともに、外観を良好に維持することができる。
【００５８】
（第二実施形態の変形例）
図１３に示すように、第二実施形態の変形例は、バッテリ２４３Ａがヘルメット本体２１の右側部に設けられている点で、上述した第二実施形態と相違している。なお、以下の説明においては、上述した第二実施形態と同様の構成については同一の符号を付して説明を省略する。
【００５９】
具体的に、バッテリ２４３Ａは、内装材２３の右側部の窪み部２３ａ（すなわち、耳パッドの窪み部）に配置されている。配線２４４Ａは、バッテリ２４３Ａからの電力をセンサ４２に導く。配線２４４Ａは、バッテリ２４３Ａから締結具２６０の下方に引き出されて、顎紐本体２３６とパッド２３７との間を通った後にセンサ４２に接続されている。
【００６０】
生体情報検出装置２４０Ａのうち通信部２４１及びセンサ４２は、顎紐本体２３６とパッド２３７との間に配置されている。センサ４２は、顎紐本体２３６の長手方向においてプラグ３５寄りの部分に配置されている。
【００６１】
図１４に示すように、通信部２４１は、スマートフォンＫとの通信を行う線状のアンテナ２４１ａ（例えば、プリントアンテナ）を備えている。アンテナ２４１ａは、配線２４４Ａに沿うように延びている。アンテナ２４１ａは、配線２４４Ａとともに顎紐本体２３６とパッド２３７との間に配置されている。すなわち、アンテナ２４１ａは、配線２４４Ａとともに顎紐本体２３６及びパッド２３７に挟まれている。
【００６２】
本変形例によれば、通信部２４１がスマートフォンＫとの通信を行う線状のアンテナ２４１ａを備え、顎紐部２３０が顎紐本体２３６と顎紐本体２３６を覆うパッド２３７とを備え、アンテナ２４１ａが顎紐本体２３６とパッド２３７との間に配置されていることで、アンテナ２４１ａが生体情報検出装置２４０Ａの内部に配置された場合と比較して、アンテナ２４１ａを大きくすることができ、かつアンテナ２４１ａをヘルメット本体２１の外部かつ運転者Ｊの身体に近い位置（すなわち、スマートフォンＫにより近い位置）に露出させることができるため、アンテナ２４１ａと外部のスマートフォンＫとの通信状況を良好にすることができる。
【００６３】
（第三実施形態）
図１５に示すように、第三実施形態は、生体情報検出装置４０と顎紐部３３０とを着脱可能に係止する係止部材３７０を更に備えている点で、上述した第一実施形態と相違している。なお、以下の説明においては、上述した第一実施形態と同様の構成については同一の符号を付して説明を省略する。
【００６４】
本実施形態において、固定部材３３３は、Ｄリング式のバックルである。例えば、右顎紐部材３３２の下端をＤリングに通して、エンドホック３３２ａを「カチッ」と音がするまで嵌め込むことで、左顎紐部材３３１及び右顎紐部材３３２を固定する（すなわち、ロック状態とする）ことができる。
【００６５】
図１６及び図１７を併せて参照し、係止部材３７０は、生体情報検出装置４０を内蔵する長方形箱状の係止部本体３７１と、係止部本体３７１の長手方向中央両端をわたすように短手方向に延びる逆Ｕ字状の連結部３７２と、生体情報検出装置４０の起動用のスイッチ３７３と、を備えている。係止部本体３７１における連結部３７２との対向部分と、連結部３７２における係止部本体３７１との対向部分とには、顎紐部３３０を係止可能な係止爪３７２ｃが互いに対向するように形成されている。なお、係止部本体３７１における運転者Ｊの身体側の角部は、角丸形状をなしている。
【００６６】
図１８を併せて参照し、本実施形態では、スイッチ３７３を押すことによって、生体情報検出装置４０のセンサ４１は、運転者Ｊの生体情報の検出を開始する。そして、通信部４１は、スマートフォンＫとの通信を開始する。なお、顎紐部３３０のエンドホック３３２ａに生体情報検出装置４０の起動用のスイッチを設けてもよい。例えば、エンドホック３３２ａを留めたときに、センサ４１が運転者Ｊの生体情報の検出を開始するとともに、通信部４１がスマートフォンＫとの通信を開始してもよい。
【００６７】
例えば、係止部本体３７１と連結部３７２との隙間に顎紐部３３０（左顎紐部材３３１又は右顎紐部材３３２）を挿通することにより、生体情報検出装置４０を内蔵した係止部材３７０を顎紐部３３０に取り付けることができる。なお、図１５においては、係止部材３７０を右顎紐部材３３２に取り付けた例を示している。
【００６８】
本実施形態によれば、生体情報検出装置４０と顎紐部３３０とを着脱可能に係止する係止部材３７０を更に備えていることで、既存のヘルメットの顎紐部に対して生体情報検出装置４０を取り付けることができる。加えて、ヘルメット３２０の交換時及び洗浄時等には、顎紐部３３０から生体情報検出装置４０を取り外すことができる。したがって、生体情報検出装置４０と顎紐部３３０との着脱ができない場合と比較して、利便性を向上することができる。加えて、係止部材３７０には顎紐部３３０を係止可能な係止爪３７２ｃが形成されていることで、生体情報検出装置４０を内蔵した係止部材３７０を顎紐部３３０に安定して取り付けることができるため、生体情報検出装置４０を顎紐部３３０の定位置に保持することが容易となる。
【００６９】
（第三実施形態の変形例）
図１９及び図２０に示すように、第三実施形態の変形例は、係止部材３７０Ａの態様が上述した第三実施形態と相違している。なお、以下の説明においては、上述した第三実施形態と同様の構成については同一の符号を付して説明を省略する。
【００７０】
具体的に、係止部材３７０Ａは、生体情報検出装置４０を内蔵する長方形箱状の係止部本体３７１Ａと、係止部本体３７１Ａの一面に沿うとともに（すなわち、係止部本体３７１Ａの厚み方向内側で）係止部本体３７１Ａの長手方向中央両端をわたすように短手方向に延びる連結部３７２Ａと、生体情報検出装置４０の起動用のスイッチ３７３と、を備えている。係止部本体３７１Ａにおける連結部３７２Ａとの対向部分と、連結部３７２Ａにおける係止部本体３７１Ａとの対向部分とには、顎紐部３３０を係止可能な係止爪３７２ｃが互いに対向するように形成されている。なお、係止部本体３７１Ａにおける運転者Ｊの身体側の角部は、角丸形状をなしている。
【００７１】
例えば、一対の係止爪３７２ｃの間に顎紐部３３０（左顎紐部材３３１又は右顎紐部材３３２）を挿通することにより、生体情報検出装置４０を内蔵した係止部材３７０Ａを顎紐部３３０に取り付けることができる。なお、図２０においては、係止部材３７０Ａを右顎紐部材３３２に取り付けた例を示している。
【００７２】
本変形例によれば、係止部材３７０Ａには顎紐部３３０を係止可能な係止爪３７２ｃが形成されていることで、生体情報検出装置４０を内蔵した係止部材３７０Ａを顎紐部３３０に安定して取り付けることができるため、生体情報検出装置４０を顎紐部３３０の定位置に保持することが容易となる。
【００７３】
（呼気センサ等を更に備えた変形例）
図２１に示すように、本変形例は、呼気センサ４８０を更に備えている点で、上述した第一実施形態と相違している。なお、以下の説明においては、上述した第一実施形態と同様の構成については同一の符号を付して説明を省略する。なお、図２１において、生体情報検出装置４０等の図示は省略している。
【００７４】
ヘルメット４２０は、ヘルメット本体２１前下部のチンガード部に配置された呼気センサ４８０と、ヘルメット本体２１右側部の内装材２３の窪み部２３ａに配置されたアルコール濃度検出装置４８１と、ヘルメット本体２１前上部のシールド２４近傍に配置された警告ランプ４８２と、を更に備えている。なお、図２１において、符号４８３は呼気センサ４８０とアルコール濃度検出装置４８１とを接続する配線、符号４８４はアルコール濃度検出装置４８１と警告ランプ４８２とを接続する配線をそれぞれ示している。
【００７５】
例えば、呼気センサ４８０及びアルコール濃度検出装置４８１によって運転者Ｊの呼気に含まれるアルコール濃度を検出し、規定値を超えた場合には、警告ランプ４８２又は車両の表示部５０のインジケータを点灯又は点滅させることにより、運転者Ｊの注意を喚起することができる。なお、ヘルメット４２０の通気窓近傍にインジケータを設けてもよい。また、ヘルメット４２０がＨＭＤ（Ｈｅａｄ  Ｍｏｕｎｔｅｄ  Ｄｉｓｐｌａｙ）機能を有する場合（すなわち、シールド２４に画像を表示可能な場合）には、シールド２４に表示される画像をインジケータとして利用してもよい。
【００７６】
なお、本発明は上記実施形態に限られるものではなく、例えば、ヘルメットはフルフェイスタイプに限らず、ジェットタイプ、ハーフタイプ、システムタイプ（フリップアップタイプ）、オフロードタイプなど、種々の型式を適用可能である。
【００７７】
また、ヘルメット本体には、各種センサ、インジケータの他、別付けのバッテリ、アンテナ等が更に設けられていてもよい。これにより、生体情報検出装置自体に電源及びアンテナを設けた場合と比較して、生体情報検出装置の一部の構成要素をヘルメット本体に分散させることができるため、生体情報検出装置の構成要素のレイアウトの自由度を高めることができる。
【００７８】
また、ヘルメットとスマートフォンとの通信が開始され、生体情報検出装置によって検出された心拍数等の生体情報は、車載カメラの画像、ＧＰＳ（Ｇｌｏｂａｌ  Ｐｏｓｉｔｉｏｎｉｎｇ  Ｓｙｓｔｅｍ）からの位置情報、車速、エンジン回転数などの情報とともに、スマートフォンあるいは外部の情報システムなどに蓄積され、各種のデータ解析に活用してもよい。
【００７９】
また、生体情報検出装置は、使い捨て構造としてもよく、加えて非分解式としてもよい。また、生体情報検出装置は、顎紐部から容易に着脱可能な構成とすることが好ましい。
これは、ヘルメットが交換される際に、生体情報検出装置を交換前の古いヘルメットから交換後の新しいヘルメットに移設することで、ヘルメットを交換しても、生体情報検出装置の初期設定などの煩わしさを回避することができる。
また、複数のヘルメットを交互に使用する場合には、一つの生体情報検出装置を有効に利用することができる。
一方で、ヘルメットの使用過程において、生体情報検出装置の不具合などにより、生体情報検出装置の交換が必要になった場合であっても、ヘルメット本体を新たに購入等する必要がない。
【００８０】
また、生体情報検出装置の一部をヘルメットの構造物（例えば、パッドなど）に埋め込むとともに、バッテリ等の電源のみを交換可能に配置してもよい。これは、ヘルメットの各所に機能部品を分散させることを意図している。これにより、ヘルメット内のデッドスペースを活用することができ、生体情報検出装置の大型化を回避することができる。
【００８１】
また、複数種の警告手段は、択一的に作動させるのみならず、複数種を同時に作動させてもよい。
また、運転者に警告を発するとともに、ウインカーランプやヘッドライト、テールランプ等を点滅させるなどの行為によって、周囲を走る車両に異常をいち早く伝えるものとしてもよい。
また、前記鞍乗り型車両には、運転者が車体を跨いで乗車する車両全般が含まれ、自動二輪車（原動機付自転車及びスクータ型車両を含む）のみならず、三輪（前一輪且つ後二輪の他に、前二輪且つ後一輪の車両も含む）の車両も含まれる。また、前記鞍乗り型車両には、自動二輪車のみならず、自動車等の四輪の車両も含まれる。
【００８２】
また、本発明は、自動二輪車の乗車用ヘルメットのみならず、一般的な作業用安全帽にも適用可能である。また、本発明は、心拍数や血流の他にも、温度、光線、大気中のガス、放射線など、ヘルメットの着用者の周辺環境の検出にも適用可能な技術である。
そして、上記実施形態における構成は本発明の一例であり、実施形態の構成要素を周知の構成要素に置き換える等、本発明の要旨を逸脱しない範囲で種々の変更が可能である。
【符号の説明】
【００８３】
２０，２２０，３２０  ヘルメット
２１  ヘルメット本体
３０，２３０，３３０  顎紐部
３１，３３１  左顎紐部材
３２，３３２  右顎紐部材
３３，３３３  固定部材
４０，２４０  生体情報検出装置
４１，２４１  通信部
４２  センサ
４３，２４３  バッテリ（電源）
２３６  顎紐本体
２３７  パッド（カバー部材）
２４１ａ  アンテナ
２４４  配線
３７０  係止部材
Ｊ  運転者（着用者）
Ｋ  スマートフォン（情報通信機器）
【図１】
0006684137.tif 000002
【図２】
0006684137.tif 000003
【図３】
0006684137.tif 000004
【図４】
0006684137.tif 000005
【図５】
0006684137.tif 000006
【図６】
0006684137.tif 000007
【図７】
0006684137.tif 000008
【図８】
0006684137.tif 000009
【図９】
0006684137.tif 000010
【図１０】
0006684137.tif 000011
【図１１】
0006684137.tif 000012
【図１２】
0006684137.tif 000013
【図１３】
0006684137.tif 000014
【図１４】
0006684137.tif 000015
【図１５】
0006684137.tif 000016
【図１６】
0006684137.tif 000017
【図１７】
0006684137.tif 000018
【図１８】
0006684137.tif 000019
【図１９】
0006684137.tif 000020
【図２０】
0006684137.tif 000021
【図２１】
0006684137.tif 000022